(57)【特許請求の範囲】
【請求項１】
ワイヤコーム綴じで任意の紙判および厚さの小冊子（１０）を製作する方法であって、複数のシート状の被印刷材料（１１）から成る小冊子をルーズに綴じるために、ワイヤ綴じエレメントが、シート状の被印刷材料（１１）の縁部に沿って設けられた孔列（１２）によって受容されるようにする方法において、
小冊子の各紙判および厚さならびに各孔列（１２）に調和された少なくとも１つのワイヤ綴じエレメント（４１）を、綴じ込み過程の直前に製作し、この場合、
綴じようとする小冊子の紙判および厚さを検出し、次いで電子装置（１１０）によって前記紙判および厚さに対応するワイヤ綴じエレメントのための製作パラメータを求める方法ステップと、
互いに電子式かつ機械式に接続された装置（２０，３０，４０，５０，６０，７０，８０，９０，１００，１１０）を用いて、小冊子の各紙判および厚さに調和されたワイヤ綴じエレメントを製造する方法ステップとを備え、
前記製造する方法ステップにおいて、
−搬送手段（３０）によって、貯蔵ワイヤロール（２１，２２，２３）を備えた少なくとも１つのワイヤ貯蔵部（２０）からワイヤ曲げ装置（４０）にワイヤを供給し、
−ワイヤ曲げ装置（４０）を用いてワイヤを曲げて、ループ状に形成される扁平なワイヤ綴じエレメント（４１）を成形し、
−切断装置を用いてワイヤ綴じエレメント（４１）をカットし、切断されたワイヤ綴じエレメント（４１）を差込装置（８０）に供給し、
−孔の設けられたシート状の被印刷材料のスタックを曲げ兼閉鎖装置（９０）に供給し、
−ワイヤ綴じエレメント（４１）をシート状の被印刷材料（１１）のスタックの孔列（１２）に差込み、
−曲げ兼閉鎖装置（９０）を用いてワイヤ綴じエレメント（４１）をファセットごとに曲げて、閉鎖されたインラインワイヤループを成形する、
ことを特徴とする、ワイヤコーム綴じで任意の紙判および厚さの小冊子を製作する方法。
【請求項２】
押込変形曲げ装置（６０）を用いて、押込変形部（６１）を綴じ方向でみて対称的に、ワイヤ綴じエレメント（４１）の各ループ（Ｓ）に形成する、請求項１記載の方法。
【請求項３】
唯一の曲げポンチ（６４）を用いて、押込変形部（６１）をループ（Ｓ）ごとに歩進的にワイヤ綴じエレメント（４１）に形成する、請求項２記載の方法。
【請求項４】
ワイヤコーム綴じを、小冊子の全幅に対応する唯一のワイヤ綴じエレメント（４１）によって行う、請求項１から３までのいずれか１項記載の方法。
【請求項５】
小冊子の幅にわたって分配された、かつ／または直に隣接する複数の単個ワイヤ綴じエレメント（４１′）を孔列（１２）に通してワイヤコーム綴じを行い、綴じ込んで小冊子を製作するためにこれらの単個ワイヤ綴じエレメント（４１′）を時間的に一緒に孔列に差し込む、請求項１から３までのいずれか１項記載の方法。
【請求項６】
ワイヤ綴じエレメント（４１）の製作パラメータ、たとえばワイヤ直径、ワイヤ長さ、閉鎖型インラインワイヤループに成形されるワイヤ綴じエレメント（４０，４１′）の直径などを、電子装置（１１０）を用いて求める、請求項１から５までのいずれか１項記載の方法。
【請求項７】
単個ワイヤ綴じエレメント（４１′）の最大選択数を、綴じようとする小冊子の紙判に応じて規定する、請求項５記載の方法。
【発明の詳細な説明】
【０００１】
【発明の属する技術分野】
本発明は、ワイヤコーム綴じで任意の紙判および厚さの小冊子を製作する方法であって、複数のシート状の被印刷材料から成る小冊子をルーズに綴じるために、ワイヤ綴じエレメントが、シート状の被印刷材料の縁部に沿って設けられた孔列によって受容されるようにする方法に関する。
【０００２】
【従来の技術】
様々なサイズのいわゆるWire-Oワイヤ綴じエレメント（登録商標）を用いて小冊子を製作する方法は、たとえば欧州特許公開第００９５２４３号明細書および欧州特許第００９５２４５号明細書から公知である。
【０００３】
Wire-Oワイヤ綴じエレメントは、図２に示されているように、ループ長さＬとループ間隔Ａとワイヤ直径Ｄとを有する、相互間隔を有して互いに平行に配置されたワイヤループとして定義される。このWire-Oワイヤ綴じエレメントは適当な閉鎖装置によってWire-Oリングになるように成形される。
【０００４】
前掲特許明細書に関する綴じ装置は、様々なループ間隔と様々なループ長さとを有する、成形されたWire-Oワイヤ綴じエレメントを加工できるように、形成されている。
【０００５】
一般的に前述の装置は欠点を有しており、この欠点とは、種々異なる紙判および厚さの小冊子を綴じるために、このような紙判および厚さのために必要なワイヤ綴じエレメントが既に成形された貯蔵綴じエレメント（たとえばロール材料または綴じ長さに関して切断されたエレメント）の形状で綴じ装置に提供されなければならないというものである。種々異なる小冊子紙判および厚さで綴じられるようにするために、予め相当数のストックが必要である。さらに製作しようとする小冊子の紙判変更の場合、搬送および加工に適した装置を種々異なるワイヤ綴じエレメントの要求に適合させなければならない。このような装備変更によってコストのかかる搬送装置および綴じ装置構造が必要であり、ある紙判である厚さの小冊子を大量に製作する場合にしか経済的にならない。したがって僅かな生産量では経済的に製作することができず、機械を適合させることに基づいて長い時間的コストが必要である。
【０００６】
ドイツ連邦共和国特許出願公開第２８４７７００号明細書から、ブロック（小冊子）などのためのワイヤ綴じ部を製作する方法が公知であり、ここではストックから連続的に引き出されるワイヤが往復曲げ運動によって波形に成形され、次いで波形のワイヤ成形体が波形部分の平面に対して垂直方向でＣ字形に曲げられる。ワイヤを曲げるために、固定の直径を有する成形ローラが使用されるので、不変のループ間隔および長さを有するワイヤ綴じエレメントしか製作することができない。
【０００７】
【発明が解決しようとする課題】
したがって本発明の課題は、冒頭で述べたような方法の、ワイヤコーム綴じで任意の紙判および厚さの小冊子を製作する方法を改良して、綴じようとする小冊子の各紙判および厚さと、ワイヤ綴じエレメントの要求とに応じて、ワイヤ綴じエレメントを綴じ過程の間に直接的に製作することができるような方法を提供することである。
【０００８】
【課題を解決するための手段】
この課題を解決するための本発明の方法によれば、小冊子の各紙判および厚さに調和された少なくとも１つのワイヤ綴じエレメントを、必要に応じて綴じ過程の直前に製作する。
【０００９】
このためにまずはじめに、綴じようとする小冊子の紙判および厚さが検出される。綴じようとする小冊子の紙判および厚さと場合によっては孔種との検出は、先行の装置から電子装置にパラメータが伝達されることによって行われ、かつ／またはセンサ技術によって、綴じようとする小冊子の紙判および厚さと場合によっては孔種とが特定され、電子装置に伝達されることによって行われる。
【００１０】
次にワイヤ綴じエレメントのための製作パラメータが電子装置によって規定され、続いてワイヤ綴じエレメントは、電子的かつ機械的に結合された装置によって、
−貯蔵ワイヤロールを備えた少なくとも１つのワイヤ貯蔵部からワイヤ曲げ装置にワイヤを供給し、
−ワイヤ曲げ装置を用いてワイヤを曲げて、ループ状に形成される扁平なワイヤ綴じエレメントを成形し、
−切断装置を用いてワイヤ綴じエレメントを切断もしくはカットし、切断されたワイヤ綴じエレメントを差込装置に供給し、
−搬送手段を用いて孔の設けられたシート状の被印刷材料のスタックを曲げ兼閉鎖装置に供給し、
−ワイヤ綴じエレメントをシート状の被印刷材料のスタックの孔列に通し、
−曲げ兼閉鎖装置を用いてワイヤ綴じエレメントをファセットごとに曲げて、閉鎖されたインラインワイヤループ（Inline-Wire-Loop；ＩＷＬ）を成形して、
製造される。
【００１１】
【発明の効果】
本発明の方法によれば様々な利点が得られる。加工できる最大小冊子幅に対応する、任意のループ長さとループ幅とワイヤ直径とループ数とを有する必要に応じて製作されるワイヤ綴じエレメントによって、小冊子の全自動的な綴じ込みが可能である。綴じ装置の装備変更または適合は必要ではない。同じかまたはそれぞれ異なる相互間隔を有している複数の単個綴じエレメントによって小冊子の綴じ込みを実現することもできる。この場合単個綴じエレメントの時間的に一緒の綴じ込みによって高い綴じ速度が得られる。要求に応じて製作されるワイヤ綴じエレメントの変形は、自動的な製作および搬送によって回避されるので、従来の装置と比べてトラブルの可能性が著しく減少されている。
【００１２】
【発明の実施の形態】
次に本発明の実施の形態を図示の実施例を用いて詳しく説明する。
【００１３】
図１には、種々異なる紙判および厚さの小冊子１０を製作するための装置２００が示されており、この小冊子製作装置２００は、本発明による、ワイヤコーム綴じ（Drahtkammbindung）で種々異なる紙判および厚さの小冊子を製作する方法を実施するための複数の装置を備えている。これらの装置は電子装置１１０と接続されていて、この電子装置１１０によって制御される。
【００１４】
図１および図６に示されているように、ワイヤ貯蔵部２０は貯蔵ワイヤロール２１，２２，２３を備えており、これらの貯蔵ワイヤロール２１，２２，２３はそれぞれ異なるワイヤ直径（たとえば０．８ｍｍから１．２ｍｍまで）を有するワイヤ１を備えている。この場合それぞれ異なる色付与によって区別され、前述のワイヤ直径に対応配置されることのできるワイヤが使用される。詳しくは図示されていないワイヤ曲げ装置４０によって、ワイヤ１はループ状にされ、この場合ループ長さＬおよびループ間隔Ａは電子制御装置１１０によって任意に設定された値に調節することができる。ワイヤ曲げ装置４０は電子制御装置１１０によって設定されたループ数の到達後に、存在するワイヤ綴じエレメント４１を切断する。
【００１５】
搬送手段５０は、ワイヤ綴じエレメント４１を、曲げ兼閉鎖装置９０の一部である、詳しくは図示されていない差込装置８０（Einkaemmvorrichtung）に搬送する。被印刷材料１１は印刷されないかまたは印刷装置によって片面または両面印刷され、積み重ねられ、穿孔装置によって孔列１２が設けられ、次いで整列されており、このようなシート状の被印刷材料１１のスタックを搬送手段が曲げ兼閉鎖装置９０に搬送する。ワイヤ綴じエレメント４１は差込装置８０によって、積み重ねて整列されたシート状の被印刷材料１１の孔列１２に通され、曲げ兼閉鎖装置９０によってWire−Oが形成されるように閉鎖される。次いで綴じられた小冊子は排出装置１００を介して小冊子製作装置２００から排出され、格納される。
【００１６】
本発明の実施例では、ワイヤ綴じエレメント４１の製作後に、押込変形曲げ装置６０によって押込変形部６１がループＳの中央に設けられる。図７に概略的に示されたように、押込変形曲げ装置６０は、水平方向で調節可能な２つの曲げ母型６２，６２′と、弾性的な押さえ６３を備えた垂直方向で移動可能な曲げポンチ６４とから成っている。曲げ母型は図示されていない手段によって曲げポンチに対してセンタリングした状態に移動可能であり、これによってループ長さＬに応じて種々異なる押込変形部６１を曲げ成形することができる。押込変形部６１をループ長さＬ（図２参照）に対して中央にも形成することは、有利にはトング５１を支持するケーシング５４の、ワイヤ搬送経路２の搬送方向での適当な送りによってループごとに歩進的に行われる。ループ中央を規定するために、図示されていない光学的なエッジセンサ（Randsensor）が用いられ、このセンサは曲げ装置６０におけるワイヤループの正確な位置を特定する。スピンドル５２を介してガイドされるトング５１は、ステップモータとして形成された駆動装置５３によって、図７で矢印Ｘによって概略的に示されているように、ワイヤ搬送経路２に対して垂直方向で搬送可能である。ワイヤ搬送経路２に対して平行にケーシング５４を移動させるために、ケーシング５４にガイド溝５５が設けられており、これらのガイド溝５５に、小冊子製作装置２００のケーシングに取り付けられたガイドバー５６が係合している。ワイヤ搬送経路２に対して平行の移動は、図示されていない適当な駆動装置によって行われる。トング５１の位置修正が必要な場合、スピンドル５２の、ステップモータとして形成された駆動装置５３が電子制御装置１１０によって適当に作動される。
【００１７】
本発明の別の実施例では、押込変形曲げ装置６０が、適当な押さえの設けられた幾つかの曲げポンチ６４を備えており、これらの曲げポンチ数は綴じようとする小冊子の最大紙判に対応する。
【図面の簡単な説明】
【図１】  本発明の方法ステップと本発明の方法を実施するための装置とを示す概略図である。
【図２】  Wire-Oワイヤ綴じエレメントを示す概略図である。
【図３】  唯一のワイヤ綴じエレメントによって綴じられた小冊子の実施例を示す斜視図である。
【図４】  複数の単個ワイヤ綴じエレメントによって綴じられた小冊子の実施例を示す斜視図である。
【図５】  互いに等間隔で配置された複数の単個ワイヤ綴じエレメントによって綴じられた小冊子の実施例を示す斜視図である。
【図６】  種々異なる貯蔵ワイヤロールを備えたワイヤ貯蔵部を示す概略図である。
【図７】  本発明の方法で使用される、ワイヤ綴じエレメントにおける押込変形部を成形するための、搬送装置を備えた押込変形曲げ装置を示す概略図である。
【符号の説明】
１  ワイヤ、  ２  ワイヤ搬送経路、  １１  被印刷材料、  １２  孔列、  ２０  ワイヤ貯蔵部、  ２１，２２，２３  貯蔵ワイヤロール、  ３０  搬送手段、  ４０  ワイヤ曲げ装置、  ４１  ワイヤ綴じエレメント、  ５０  搬送手段、  ５１  トング、  ５２  スピンドル、  ５３  駆動装置、  ５４  ケーシング、  ５５  ガイド溝、  ５６  ガイドバー、  ６０  押込変形曲げ装置、  ６１  押込変形部、  ６２  曲げ母型、  ６３  押さえ、  ６４  曲げポンチ、  ７０  搬送手段、  ８０  差込装置、  ９０  曲げ兼閉鎖装置、  １００  排出装置、  １１０  電子制御装置、  ２００  小冊子製作装置、  Ａ  ループ間隔、  Ｄ  ワイヤ直径、  Ｓ  ループ、  Ｌ  ループ長さ
【図１】
0004358468.tif 000002
【図２】
0004358468.tif 000003
【図３】
0004358468.tif 000004
【図４】
0004358468.tif 000005
【図５】
0004358468.tif 000006
【図６】
0004358468.tif 000007
【図７】
0004358468.tif 000008